(57)【要約】【課題】  ワイヤハーネスや基板の交換を伴う不正行為を検知する。【解決手段】  電源部２０５にバックアップ電源２ｂを設けるとともに、不正行為の際に取り外されるメイン基板１や第２ワイヤハーネスＷＨ２を経由してバックアップ電力を揮発性記憶素子（ＲＡＭ）２ｃに供給する。メイン基板１や第２ワイヤハーネスＷＨ２が取り外されると、ＲＡＭ２ｃの記憶内容が失われてバックアップ不良になる。これを判定部２ｄで検知し、必要に応じて音や光などの人間が感知できるような方法でエラー報知を行う。【選択図】        図５
2007222249.tif 000002
【特許請求の範囲】
【請求項１】
遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネスとを備える遊技機において、
前記電源部に設けられ、電源断時に電力を供給するためのバックアップ電源と、
前記サブ基板に設けられ、前記バックアップ電源から電力の供給を受ける揮発性記憶素子と、
電源切断時の前記揮発性記憶素子の記憶内容と電源投入時の前記揮発性記憶素子の記憶内容とを比較し、この比較結果に基づき前記第２ワイヤハーネスの取り外しの有無を判定する判定部とを備え、
前記揮発性記憶素子は、前記第２ワイヤハーネスを通じて前記バックアップ電源から電力の供給を受けることを特徴とする遊技機。
【請求項２】
遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネス及び第３ワイヤハーネスとを備える遊技機において、
前記電源部に設けられ、電源断時に電力を供給するためのバックアップ電源と、
前記サブ基板に設けられ、前記バックアップ電源から電力の供給を受ける第１揮発性記憶素子及び第２揮発性記憶素子と、
電源切断時の前記第１揮発性記憶素子及び前記第２揮発性記憶素子の記憶内容と電源投入時の前記第１揮発性記憶素子及び前記第２揮発性記憶素子の記憶内容とをそれぞれ比較し、この比較結果に基づき前記第２ワイヤハーネスの取り外しの有無又は前記バックアップ電源の劣化を判定する判定部と、を備え、
前記第１揮発性記憶素子は、前記第２ワイヤハーネスを通じて前記バックアップ電源から電力の供給を受け、
前記第２揮発性記憶素子は、前記第１ワイヤハーネス又は前記第３ワイヤハーネスを通じて前記バックアップ電源から電力の供給を受けることを特徴とする遊技機。
【請求項３】
遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネス及び第３ワイヤハーネスとを備える遊技機において、
前記電源部に設けられ、電源断時に電力を供給するための第１バックアップ電源及び第２バックアップ電源と、
前記サブ基板に設けられ、前記第１バックアップ電源から電力の供給を受ける第１揮発性記憶素子及び前記第２バックアップ電源から電力の供給を受ける第２揮発性記憶素子と、
電源切断時の前記第１揮発性記憶素子及び前記第２揮発性記憶素子の記憶内容と電源投入時の前記第１揮発性記憶素子及び前記第２揮発性記憶素子の記憶内容とをそれぞれ比較し、この比較結果に基づき前記第２ワイヤハーネスの取り外しの有無、又は前記第１バックアップ電源又は第２バックアップ電源の劣化を判定する判定部と、を備え、
前記第１揮発性記憶素子は、前記第２ワイヤハーネスを通じて前記第１バックアップ電源から電力の供給を受け、
前記第２揮発性記憶素子は、前記第１ワイヤハーネス又は前記第３ワイヤハーネスを通じて前記第２バックアップ電源から電力の供給を受けることを特徴とする遊技機。
【請求項４】
遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネスとを備える遊技機において、
前記電源部に設けられ、電源断時に電力を供給するための第１バックアップ電源と、
前記サブ基板に設けられ、電源断時に電力を供給するための第２バックアップ電源と、
前記サブ基板に設けられ、前記第１バックアップ電源から電力の供給を受ける第１揮発性記憶素子及び前記第２バックアップ電源から電力の供給を受ける第２揮発性記憶素子と、
電源切断時の前記第１揮発性記憶素子及び前記第２揮発性記憶素子の記憶内容と電源投入時の前記第１揮発性記憶素子及び前記第２揮発性記憶素子の記憶内容とをそれぞれ比較し、この比較結果に基づき前記第２ワイヤハーネスの取り外しの有無、又は前記第１バックアップ電源又は前記第２バックアップ電源の劣化を判定する判定部と、を備え、
前記第１揮発性記憶素子は、前記第２ワイヤハーネスを通じて前記第１バックアップ電源から電力の供給を受けることを特徴とする遊技機。
【請求項５】
前記第２バックアップ電源の容量は、前記第１バックアップ電源の容量よりも小さいことを特徴とする請求項３又は４記載の遊技機。
【請求項６】
前記判定部は、電源切断時に前記揮発性記憶素子、又は前記第１揮発性記憶素子及び前記第２揮発性記憶素子のデータの特徴値を求め、これを電源切断時の特徴値として保持し、電源投入時に前記揮発性記憶素子、又は前記第１揮発性記憶素子及び前記第２揮発性記憶素子のデータの特徴値を求め、これを保持した前記電源切断時の特徴値と比較し、この比較結果に基づき前記第２ワイヤハーネスの取り外しの有無を判定することを特徴とする請求項１乃至請求項５いずれかに記載の遊技機。
【請求項７】
前記判定部は、前記特徴値を得るために、前記揮発性記憶素子、又は前記第１揮発性記憶素子及び前記第２揮発性記憶素子の全データ又は一部のデータについてチェックサムを求めること、論理積、論理和又は排他的論理和を含む論理演算を行うこと、又は、ハッシュ関数によりハッシュ値を求めることの少なくとも何れかを行うことを特徴とする請求項６記載の遊技機。
【請求項８】
前記判定部は、電源切断時に前記揮発性記憶素子、又は前記第１揮発性記憶素子及び前記第２揮発性記憶素子の全部又は一部のデータを退避させ、電源投入時に前記揮発性記憶素子、又は前記第１揮発性記憶素子及び前記第２揮発性記憶素子の全部又は一部のデータを読み取り、これを退避させたデータと比較し、この比較結果に基づき前記第２ワイヤハーネスの取り外しの有無を判定することを特徴とする請求項１乃至請求項５いずれかに記載の遊技機。
【請求項９】
前記判定部は、前記揮発性記憶素子、又は前記第１揮発性記憶素子及び前記第２揮発性記憶素子の予め定められたアドレスに予め定められたデータを書き込み、電源投入時に前記揮発性記憶素子、又は前記第１揮発性記憶素子及び前記第２揮発性記憶素子の前記予め定められたアドレスのデータを読み出し、これを前記予め定められたデータと比較し、この比較結果に基づき前記第２ワイヤハーネスの取り外しの有無を判定することを特徴とする請求項１乃至請求項５いずれかに記載の遊技機。
【発明の詳細な説明】
【技術分野】
【０００１】
この発明は、スロットマシンなどの遊技機に関し、特に、複数の基板と、これらの間を電気的に接続するワイヤハーネスとを備える遊技機において、不正な電子部品を追加して行う不正行為を抑止できる遊技機に関する。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ ｐｒｏｃｅｓｓｉｎｇ ｕｎｉｔ）が、制御プログラムに従って電子制御を行うものが一般的である。制御プログラムは、マスクＲＯＭ（ｒｅａｄ ｏｎｌｙ ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技機に対する不正行為が大きな問題になっている。不正行為にはさまざまなものがある。ＲＯＭを交換したり、メイン基板そのものを交換することのほか、不正行為のひとつに遊技機の扉を開け、基板や複数の基板を結ぶワイヤハーネス（a wire harness：組み電線。電線やケーブルを結束したもの。以下、単に「ハーネス」と記すことがある）に不正な電子部品を取り付けるといったやり方がある。実際には、予め不正な電子部品を搭載したコネクタやハーネスを正規のものと交換しているようである。不正な電子部品は、不正行為を行う者にとって遊技が有利になるような不正な処理を行うものである。
【０００５】
不正行為を大別すれば、ハーネスの交換、つまりコネクタの挿抜を伴うものと、そうでないものがある。前者の例として、メイン基板の交換、コネクタやハーネスの交換があり、後者の例としてＲＯＭの交換がある。以下の説明において、もっぱら前者のハーネスの交換（コネクタの挿抜）を伴う不正行為について述べる。
【０００６】
ハーネスが不正なものに交換された場合でも、その後遊技が可能であり、しかも遊技機の外部からでは不正な電子部品を発見することができない。従来の遊技機では、遊技中もしくは遊技待機中にハーネスなどの信号線を接続する媒体が一時的に外されても、それが接続されている先の基板上の電子部品等が動作をしなくなるだけで、それ以外の基板や電子部品等には影響を及ぼさないものであった。このような理由から、上記不正行為を防止することは困難であった。
【０００７】
上記不正行為を防止するための技術として以下の特許文献１に記載のものがある。
【０００８】
【特許文献１】特開２００５−５８６３７号公報「遊技機の不正配線検出装置及び方法並びにプログラム」
【発明の開示】
【発明が解決しようとする課題】
【０００９】
特許文献１の技術は、検出回路でハーネスの両端の信号を比較し、これが一致しないときに不正な電子部品が取り付けられたと判断するものであった。しかし、特許文献１のやり方は、当該不正な電子部品が実際に動作して信号を改変しない限り不正行為を検知することができなかった。不正な電子部品が取り付けられたことを、その直後に検知し報知することはできなかった。不正行為の実行を許さないためには、当該不正な電子部品の取り付けを速やかに検知することが望ましい。
【００１０】
本発明は、不正な電子部品が取り付けられたことを、その直後の電源投入時に検知し報知することを可能にする。すなわち、前記複数の基板間を接続するハーネスに不正な操作（例えばハーネスの交換や不正なコネクタの挿抜）が加えられたときにこれを検知し、音や光などの人間が感知できるような方法でエラー状態を知らせることで、容易に不正な部品を取り付けることができない遊技機及び当該不正行為の検知方法並びにプログラムを提供することを目的とする。
【課題を解決するための手段】
【００１１】
この発明は、遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネスとを備える遊技機において、
前記電源部に設けられ、電源断時に電力を供給するためのバックアップ電源と、
前記サブ基板に設けられ、前記バックアップ電源から電力の供給を受ける揮発性記憶素子と、
電源切断時の前記揮発性記憶素子の記憶内容と電源投入時の前記揮発性記憶素子の記憶内容とを比較し、この比較結果に基づき前記第２ワイヤハーネスの取り外しの有無を判定する判定部とを備え、
前記揮発性記憶素子は、前記第２ワイヤハーネスを通じて前記バックアップ電源から電力の供給を受けることを特徴とするものである。
【００１２】
この発明は、遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネス及び第３ワイヤハーネスとを備える遊技機において、
前記電源部に設けられ、電源断時に電力を供給するためのバックアップ電源と、
前記サブ基板に設けられ、前記バックアップ電源から電力の供給を受ける第１揮発性記憶素子及び第２揮発性記憶素子と、
電源切断時の前記第１揮発性記憶素子及び前記第２揮発性記憶素子の記憶内容と電源投入時の前記第１揮発性記憶素子及び前記第２揮発性記憶素子の記憶内容とをそれぞれ比較し、この比較結果に基づき前記第２ワイヤハーネスの取り外しの有無又は前記バックアップ電源の劣化を判定する判定部と、を備え、
前記第１揮発性記憶素子は、前記第２ワイヤハーネスを通じて前記バックアップ電源から電力の供給を受け、
前記第２揮発性記憶素子は、前記第１ワイヤハーネス又は前記第３ワイヤハーネスを通じて前記バックアップ電源から電力の供給を受けることを特徴とするものである。
【００１３】
この発明は、遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネス及び第３ワイヤハーネスとを備える遊技機において、
前記電源部に設けられ、電源断時に電力を供給するための第１バックアップ電源及び第２バックアップ電源と、
前記サブ基板に設けられ、前記第１バックアップ電源から電力の供給を受ける第１揮発性記憶素子及び前記第２バックアップ電源から電力の供給を受ける第２揮発性記憶素子と、
電源切断時の前記第１揮発性記憶素子及び前記第２揮発性記憶素子の記憶内容と電源投入時の前記第１揮発性記憶素子及び前記第２揮発性記憶素子の記憶内容とをそれぞれ比較し、この比較結果に基づき前記第２ワイヤハーネスの取り外しの有無、又は前記第１バックアップ電源又は第２バックアップ電源の劣化を判定する判定部と、を備え、
前記第１揮発性記憶素子は、前記第２ワイヤハーネスを通じて前記第１バックアップ電源から電力の供給を受け、
前記第２揮発性記憶素子は、前記第１ワイヤハーネス又は前記第３ワイヤハーネスを通じて前記第２バックアップ電源から電力の供給を受けることを特徴とするものである。
【００１４】
この発明は、遊技に係る抽選処理を行うメイン基板と、前記メイン基板からコマンド信号を受けて演出処理を行うサブ基板と、前記メイン基板及び前記サブ基板に電力を供給する電源部と、前記メイン基板に電力を供給するための第１ワイヤハーネスと、前記サブ基板に電力を供給するための第２ワイヤハーネスとを備える遊技機において、
前記電源部に設けられ、電源断時に電力を供給するための第１バックアップ電源と、
前記サブ基板に設けられ、電源断時に電力を供給するための第２バックアップ電源と、
前記サブ基板に設けられ、前記第１バックアップ電源から電力の供給を受ける第１揮発性記憶素子及び前記第２バックアップ電源から電力の供給を受ける第２揮発性記憶素子と、
電源切断時の前記第１揮発性記憶素子及び前記第２揮発性記憶素子の記憶内容と電源投入時の前記第１揮発性記憶素子及び前記第２揮発性記憶素子の記憶内容とをそれぞれ比較し、この比較結果に基づき前記第２ワイヤハーネスの取り外しの有無、又は前記第１バックアップ電源又は前記第２バックアップ電源の劣化を判定する判定部と、を備え、
前記第１揮発性記憶素子は、前記第２ワイヤハーネスを通じて前記第１バックアップ電源から電力の供給を受けることを特徴とするものである。
【００１５】
好ましくは、前記第２バックアップ電源の容量は、前記第１バックアップ電源の容量よりも小さい。
【００１６】
前記判定部は、電源切断時に前記揮発性記憶素子、又は前記第１揮発性記憶素子及び前記第２揮発性記憶素子のデータの特徴値を求め、これを電源切断時の特徴値として保持し、電源投入時に前記揮発性記憶素子、又は前記第１揮発性記憶素子及び前記第２揮発性記憶素子のデータの特徴値を求め、これを保持した前記電源切断時の特徴値と比較し、この比較結果に基づき前記第１ワイヤハーネスの取り外しの有無を判定するようにしてもよい。
【００１７】
前記判定部は、前記特徴値を得るために、前記揮発性記憶素子、又は前記第１揮発性記憶素子及び前記第２揮発性記憶素子の全データ又は一部のデータについてチェックサムを求めること、論理積、論理和又は排他的論理和を含む論理演算を行うこと、又は、ハッシュ関数によりハッシュ値を求めることの少なくとも何れかを行うようにしてもよい。
【００１８】
前記判定部は、電源切断時に前記揮発性記憶素子、又は前記第１揮発性記憶素子及び前記第２揮発性記憶素子の全部又は一部のデータを退避させ、電源投入時に前記揮発性記憶素子、又は前記第１揮発性記憶素子及び前記第２揮発性記憶素子の全部又は一部のデータを読み取り、これを退避させたデータと比較し、この比較結果に基づき前記第１ワイヤハーネスの取り外しの有無を判定するようにしてもよい。
【００１９】
前記判定部は、前記揮発性記憶素子、又は前記第１揮発性記憶素子及び前記第２揮発性記憶素子の予め定められたアドレスに予め定められたデータを書き込み、電源投入時に前記揮発性記憶素子、又は前記第１揮発性記憶素子及び前記第２揮発性記憶素子の前記予め定められたアドレスのデータを読み出し、これを前記予め定められたデータと比較し、この比較結果に基づき前記第１ワイヤハーネスの取り外しの有無を判定するようにしてもよい。
【発明の効果】
【００２０】
この発明によれば、電源部にバックアップ電源を設けるとともに、不正行為の際に取り外される第２ワイヤハーネスを経由してバックアップ電源を揮発性記憶素子に供給することにより、前記第２ワイヤハーネスが取り外されたことを検知し、必要に応じて音や光などの人間が感知できるような方法でエラー報知を行う。これにより不正行為を抑止することができる。
【発明を実施するための最良の形態】
【００２１】
この発明の実施の形態に係る遊技機（スロットマシン）について図面を参照して説明する。
【００２２】
図１は前扉を閉めた状態を示すスロットマシンの正面図、図２は前扉を１８０度開いた状態を示すスロットマシンの正面図を示す。
【００２３】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００２４】
また、前記ゲーム表示部１３１の左下方には、ゲームを開始するためのスタートスイッチ１３４を設けてあり、３つのリールのそれぞれに対応して３つのストップボタン１４０を設けてある。前扉の下端部中央には、メダルの払出し口１３５を設けてある。
【００２５】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００２６】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２７】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２８】
図３は電源部２０５のパネルの詳細を示す。
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ２０５４は設定変更を行うためのスイッチであり、設定変更／リセットスイッチ２０５５は設定値を変更したり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００２９】
図４は発明の実施の形態に係るスロットマシンの機能ブロック図を示す。
この図において電源系統についての表示は省略されている。スロットマシン１００は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００３０】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００３１】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００３２】
メイン基板１にはスタートスイッチ１３４，ストップボタン１４０，リールユニット（リール駆動装置を含む）７０，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。サブ基板２には液晶表示装置の制御基板２００、スピーカ２０１、ＬＥＤ基板２０２などの周辺基板（ローカル基板）が接続されている。
【００３３】
上述のように、メイン基板１及びサブ基板２は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで所定の動作を行う。具体的には、スタートスイッチ１３４及びストップボタン１４０の操作に基づきリールユニット７０に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００３４】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット７０の駆動を開始させる。リールユニット７０は、ストップボタン１４０によりその駆動が停止される。リールユニット７０は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３５】
本発明の実施の形態１に係る電源部２０５とメイン基板１及びサブ基板２の電源系統（バックアップ電源に関する部分のみ）を図５に示す。同図は本発明の実施の形態１の動作を説明するために必要な部分のみを示し、サブ基板２上のＲＯＭその他の表示、アドレス信号やデータ信号の表示を省略している。
【００３６】
図５において、２ｂは電源部２０５に設けられ、電源切断時にサブ基板２のＲＡＭ２ｃへ電力を供給するためのバックアップ電源である。バックアップ電源２ｂは、リチウム電池等の二次電池であるが、本発明は二次電池に限定されない。一次電池やコンデンサなどの蓄電器であってもよい。２ｃはバックアップ電源から電力の供給を受けるサブ基板２のＲＡＭ（揮発性記憶素子）である。２ｄはメイン基板１とサブ基板２を接続するワイヤハーネスＷＨ２の取り外しの有無を判定する判定部である。判定部２ｄはＲＡＭ２ｃからデータを読み出したり、ＲＡＭ２ｃにデータを書き込むことができる。判定部２ｄは、例えば所定のプログラムで動作する図示しないＣＰＵで実現される。サブ基板２のＣＰＵが判定部２ｄのＣＰＵを兼ねることもできる。判定部２ｄはメイン基板１とサブ基板２を接続するワイヤハーネスＷＨ２の取り外しの有無を判定する以外にも、バックアップ電源２ｂの劣化を判断することもある。２ｅは電源部２０５の電源（直流電圧）ＶＤＤを受けてバックアップ電源２ｂに供給し充電を行うとともに、電源断のバックアップ時にバックアップ電源２ｂの電流が電源ＶＤＤに逆流しないようにするためのダイオードである。
【００３７】
図５において、サブ基板２のＲＡＭ２ｃ用のバックアップ電源２ｂは電源部２０５に搭載され、その出力はワイヤハーネスＷＨ１、メイン基板１内部の配線Ｐ１及びワイヤハーネスＷＨ２を経由してサブ基板２に到達し、ＲＡＭ２ｃに電力を供給するように構成されている。図５において、Ｐ２０５はバックアップ電源２ｂから電源部の出力端子（ワイヤハーネスＷＨ１に接続されるもの）までの配線を示し、Ｐ１はメイン基板１の入力端子（ワイヤハーネスＷＨ１に接続されるもの）から出力端子（ワイヤハーネスＷＨ２に接続されるもの）までの配線を示し、Ｐ２はサブ基板２の入力端子からＲＡＭ２ｃの電源入力端（少なくともバックアップ電源２ｂからの電力を受けるもの）までの配線を示す。なお、Ｓ１はメイン基板１の出力信号線、Ｓ２はサブ基板の入力信号線を示す。
【００３８】
本発明の実施の形態１に係る装置／方法は、バックアップ電源２ｂを電源部２０５に設け、サブ基板２上にある揮発性記憶素子（ＲＡＭ）２ｃへのバックアップ電源の供給を、電源部２０５とメイン基板１を接続するワイヤハーネスＷＨ１、メイン基板１とサブ基板２を接続するワイヤハーネスＷＨ２、及び、メイン基板１に設けられた配線Ｐ１を経由して行うものである。ワイヤハーネスＷＨ１、ＷＨ２又はメイン基板１のいずれか（少なくともワイヤハーネスＷＨ２、これは信号線を含み、メイン基板１やサブ基板２を交換する際には取り外す必要がある）が外された場合にはＲＡＭ２ｃへのバックアップ電源の供給がなくなるようにし、そして、電源投入時にＲＡＭ２ｃの内容が電源断時と同じかどうかを確認することでワイヤハーネスＷＨ１、ＷＨ２又はメイン基板１のいずれか（少なくともワイヤハーネスＷＨ２）が外されたかどうか確認することを特徴とする。ワイヤハーネスＷＨ１、ＷＨ２又はメイン基板１のいずれか（少なくともワイヤハーネスＷＨ２）が外されていなければ電力のバックアップは正常に行われており、電源切断時と電源投入時とでＲＡＭ２ｃの内容に変化はないはずである。その内容に変化が生じているとすればワイヤハーネスＷＨ１、ＷＨ２又はメイン基板１のいずれか（少なくともワイヤハーネスＷＨ２）が外された可能性があると判断できる（バックアップ電源２ｂが劣化したときも同様の現象が生じるが、この場合も不正行為検知と同様にエラー報知する必要があるので、バックアップ電源劣化の場合も含めて以下に述べる処理を行っても問題は生じない）。
【００３９】
電源切断時と電源投入時でＲＡＭ２ｃの内容に変化が生じたかどうかを判定するために、発明の実施の形態１ではチェックサム（検査合計）を利用する。チェックサムとは、ＲＡＭの全アドレスのデータ又は一部のアドレスのデータについて求めた総合計である。ひとつのデータの１ビットが変化したときでもこれをチェックサムで検出することができる。チェックサムはＲＡＭ２ｃのデータ全体を表現する特徴値と言える。
【００４０】
図７に電源スイッチをオフにしたときの処理フローチャートを示し、図８に電源スイッチをオンにしたときの処理フローチャートを示す。図９（ａ）に電源スイッチをオフにしたときのタイミングチャートを示し、図９（ｂ）に電源スイッチをオンにしたときのタイミングチャートを示す。これらの図を参照して発明の実施の形態１の動作を説明する。
【００４１】
図９（ａ）において電源スイッチがオンのとき、電源電圧は規定値である（期間Ｐ１）。期間Ｐ１では、図５の太線Ｐ２０５，Ｐ１，Ｐ２で示すように電源ＶＤＤがＲＡＭ２ｃに供給されるとともにバックアップ電源２ｂを充電している。電源スイッチがオンからオフにされたとき（時刻Ｔ１）サブ基板２等に供給される電源電圧はすぐには低下せず、電源スイッチのオフからしばらく時間が経ってから電源電圧がゼロになる（時刻Ｔ２）。この間（期間Ｐ２）でサブ基板２のＣＰＵ等は所定の処理を行うことができる。電源スイッチがオンからオフにされたとき（時刻Ｔ１）の直後にその旨を示す電源断信号が有効になるので、ＣＰＵ等は電源断信号を契機に電源終了時の処理を実行することができる。具体的には期間Ｐ２において図７の処理を行う。
【００４２】
すなわち、ＲＡＭ２ｃのチェックサムを求め（Ｓ１）、求めたチェックサムをＲＡＭ２ｃの任意のアドレス（予めどのアドレスにするか決めておく）に記憶する（Ｓ２）。ＲＡＭ２ｃにはバックアップ電源が供給されているから、電源断の際のＲＡＭ２ｃの特徴値（チェックサム）が電源断の期間（図９の期間Ｐ３）においてＲＡＭ２ｃで保持されることになる。
【００４３】
図９（ａ）の時刻Ｔ２以降の期間Ｐ３において電源電圧はゼロであるが、図５に太線で示すようにＲＡＭ２ｃに対してバックアップ電源２ｂから電力が供給される。したがって、ＲＡＭ２ｃの内容は保持されたままである。
【００４４】
次に、図９（ｂ）に示すように、電源スイッチがオンになると（時刻Ｔ３）電源電圧が上昇し速やかに規定値に達する。その際に通常はリセット信号が発生し、その後の期間Ｐ４においてＣＰＵ等は初期動作を開始する。初期動作のひとつとして図８の処理を行う。
【００４５】
すなわち、ＲＡＭ２ｃのチェックサムを求め（Ｓ１０）、電源断の際にＲＡＭ２ｃに記憶させたチェックサムを読み出し（Ｓ１１）、両者を比較する（Ｓ１２）。両者が一致する場合（Ｓ１２で一致）、ＲＡＭ２ｃの内容が電源断中も保持されたことを意味するから、ワイヤハーネスＷＨ１、ＷＨ２又はメイン基板１のいずれか（少なくともワイヤハーネスＷＨ２）が取り外されず、かつ、バックアップ電源２ｂが正常であると判断できる。これは正常状態であるので通常の起動処理を行う（Ｓ１４）。なお、この際にＲＡＭ２ｃに記憶されたチェックサムをクリアするようにしてもよい。
【００４６】
これに対し、電源断の期間Ｐ３においてワイヤハーネスＷＨ１、ＷＨ２又はメイン基板１のいずれか（図６の例ではワイヤハーネスＷＨ２のみ）が外されると、それが外された時点でバックアップ電源２ｂからＲＡＭ２ｃへの電力の供給が絶たれる（図６の×印はこのことを意味している）。バックアップ電源２ｂからＲＡＭ２ｃへの電力の供給線は、ワイヤハーネスＷＨ１、ＷＨ２又はメイン基板１の配線Ｐ１から構成されているためである。なお、メイン基板１やそのＲＯＭを交換する際、及び、そのＲＯＭを有効にするためには、一度は電源を切断する必要があるので、上述のような現象は必ず生じる。図６の状態になるとＲＡＭ２ｃの内容は失われ、再度電源が供給されても回復することはない（でたらめな内容になる）。この場合、図８のＳ１２の判定でチェックサムは一致しなくなる。内容が失われるからＳ１０で求めたチェックサムはＳ１で求めたものと当然異なるし、Ｓ２で記憶したチェックサム自体も失われるからである。そこで、判定部２ｄはエラー処理を行い、ワイヤハーネスＷＨ１、ＷＨ２又はメイン基板１のいずれか（少なくともワイヤハーネスＷＨ２）が交換されたことを報知する（Ｓ１３）。これ以降は通常の起動処理を行わないので、遊技を行うことができなくなる。なお、期間Ｐ３以外でもチェックサムの不一致を検出したときにエラー処理を行うようにしてもよい。
【００４７】
発明の実施の形態１によれば、バックアップ電源２ｂからＲＡＭ２ｃへの電力の供給線をワイヤハーネスＷＨ１、ＷＨ２及びメイン基板１の配線Ｐ１から構成し、ワイヤハーネスＷＨ１、ＷＨ２又はメイン基板１のいずれか（少なくともワイヤハーネスＷＨ２）が外された場合に揮発性記憶素子（ＲＡＭ２ｃ）へのバックアップ電源の供給が遮断されるようにし、バックアップ不良を発生させる。電源投入時には揮発性記憶素子（ＲＡＭ２ｃ）の合計値によるチェックが行われるため、ワイヤハーネスＷＨ１、ＷＨ２又はメイン基板１のいずれか（少なくともワイヤハーネスＷＨ２）が外された場合にはバックアップ不良を検出することになり、ワイヤハーネスＷＨ１、ＷＨ２又はメイン基板１のいずれか（少なくともワイヤハーネスＷＨ２）が外された可能性があると判断し、エラー状態などに移行して遊技を停止させる。当該エラー状態に、バックアップ電源の劣化によるバックアップ不良という意味とともに、ワイヤハーネスＷＨ１、ＷＨ２又はメイン基板１のいずれか（少なくともワイヤハーネスＷＨ２）が外されたという意味を持たせるようにした。以上のような構成により、メイン基板１の不正な交換を検知しエラー報知することにより、制御プログラムの改ざんという不正行為を抑止することが可能になる。
【００４８】
なお、以上の説明で、特徴値としてチェックサムを求める場合を例にとり説明を加えたが、本発明はこれに限定されない。揮発性記憶素子（ＲＡＭ）の内容に固有の特徴値を求めることができればよく、例えば、論理積、論理和又は排他的論理和を含む論理演算を行ったり、又は、ハッシュ関数によりハッシュ値を求めるようにしてもよい。ハッシュ関数とは、与えられた原文から固定長の疑似乱数を生成する演算手法であり、生成した値は「ハッシュ値」と呼ばれる。「要約関数」「メッセージダイジェスト」とも呼ばれる。不可逆な一方向関数を含むため、ハッシュ値から原文を再現することはできず、また同じハッシュ値を持つ異なるデータを作成することは極めて困難である。
【００４９】
以上の説明で、特徴値をＲＡＭ２ｃ自身に書き込んだが、本発明はこれに限定されない。バックアップ電源の供給されるほかのＲＡＭ又は不揮発性記憶素子（ＥＥＰＲＯＭなど）に書き込むようにしてもよい。
【００５０】
発明の実施の形態２．
発明の実施の形態１では揮発性記憶素子の内容の特徴値を利用して、ワイヤハーネスＷＨ１、ＷＨ２又はメイン基板１のいずれか（少なくともワイヤハーネスＷＨ２）が外されたことを検出したが、特徴値を求めることなくデータそのものを比較することにより同様の検出を行うこともできる。その例を列挙する。
【００５１】
（１）ＲＡＭ２ｃの全データを退避させることにより、例えばバックアップ電源の供給されるほかのＲＡＭ又は不揮発性記憶素子（ＥＥＰＲＯＭなど）に書き込むことにより、電源断中も保持する。退避とは、一般的には、主記憶装置(main storage)上の特定の記憶位置(location)、領域(region)、レジスタ(register)などの内容を他の目的に使用するために、一時的に主記憶装置の他の記憶場所又は補助記憶に格納しておくことである。
電源切断時にＲＡＭ２ｃの全データを読み取り、これらを他のＲＡＭ又は不揮発性記憶素子に書き込む。電源投入時にＲＡＭ２ｃの全データを読み取り、これを退避したデータと比較する。比較の結果、全部又は一部のデータについて不一致が生じたとき、ワイヤハーネスＷＨ１、ＷＨ２又はメイン基板１のいずれか（少なくともワイヤハーネスＷＨ２）が外されたと判定する。
【００５２】
（２）ＲＡＭ２ｃの一部のデータを退避させることにより、例えばバックアップ電源の供給されるほかのＲＡＭ又は不揮発性記憶素子（ＥＥＰＲＯＭなど）に書き込むことにより、電源断中も保持する。
電源切断時にＲＡＭ２ｃの一部のデータを読み取り、これらを他のＲＡＭ又は不揮発性記憶素子に書き込む。電源投入時にＲＡＭ２ｃの一部のデータ（電源切断時と同じアドレスのもの）を読み取り、これを退避したデータと比較する。比較の結果、全部又は一部のデータについて不一致が生じたとき、ワイヤハーネスＷＨ１、ＷＨ２又はメイン基板１のいずれか（少なくともワイヤハーネスＷＨ２）が外されたと判定する。なお、ひとつのアドレスのデータのみを退避するようにしてもよい。電源断によりＲＡＭ２ｃの全てのアドレスのデータが影響を受けるので、ひとつのアドレスのデータを監視するだけでも判定可能である。
【００５３】
（３）ＲＡＭ２ｃの一部のデータを、ＲＡＭ２ｃ自身の予め用意された領域に書き込む（退避させる）。他の点は上記（２）と同様である。
【００５４】
発明の実施の形態２は、発明の実施の形態１と同様の作用効果を奏する。
【００５５】
発明の実施の形態３．
ＲＡＭの特定のアドレスに特定の値を書き込んでおき、電源投入時にそれが維持されているかどうか判断するようにしても、上記発明の実施の形態１及び２と同様の効果を奏する。ＲＡＭの特定のアドレスは、少なくとも電源断時において常に特定の値であると決めておき、電源投入時にそれが維持されていなければワイヤハーネスＷＨ１、ＷＨ２又はメイン基板１のいずれか（少なくともワイヤハーネスＷＨ２）が外されたと判断するのである。この場合、特徴値を求める必要はないし、電源断時にＲＡＭの内容を読み取る必要もない。
【００５６】
発明の実施の形態３に係る事前データ書き込み処理のフローチャートを図１０に、電源スイッチをオンしたときの処理のフローチャートを図１１に示す。図１０の特定のアドレスに特定の値を書き込む処理は電源断時（図９の期間Ｐ２）に行ってもよいし、それ以外の任意のタイミング（初期化時など）に行ってもよいし、定期的又は不定期に繰り返し行うようにしてもよい。
【００５７】
発明の実施の形態３は、発明の実施の形態１と同様の作用効果を奏する。
【００５８】
発明の実施の形態４．
発明の実施の形態４に係る装置／方法について図１２乃至図１５を参照して説明を加える。
図１２において、２ｂは電源切断時に電力を供給するためのバックアップ電源である。２ｃ−１はバックアップ電源２ｂから電力の供給を受けるＲＡＭ（第１揮発性記憶素子）である。２ｃ−２はバックアップ電源２ｂから電力の供給を受けるＲＡＭ（第２揮発性記憶素子）である。ＲＡＭ２ｃ−１と２ｃ−２は同じものであるが、バックアップ電源２ｂからの配線のルートが異なっている（この点はさらに後述する）。以下の説明において、ＲＡＭ２ｃ−１をＲＡＭ１と、ＲＡＭ２ｃ−２をＲＡＭ２と表現することがある。２ｄはワイヤハーネスＷＨ２の取り外しの有無を判定する判定部である。判定部２ｄはＲＡＭ２ｃ−１，２ｃ−２からデータを読み出したり、ＲＡＭ２ｃ−１，２ｃ−２にデータを書き込むことができる。２ｅは基板の電源（直流電圧）ＶＤＤを受けてバックアップ電源２ｂに供給し充電を行うとともに、電源断のバックアップ時にバックアップ電源２ｂの電流が電源ＶＤＤに逆流しないようにするためのダイオードである。
【００５９】
図１２において、ＲＡＭ２ｃ−１のバックアップ電源２ｂからの電力は、電源部２０５の配線Ｐ０２５、ワイヤハーネスＷＨ１、メイン基板１の配線Ｐ１、ワイヤハーネスＷＨ２及びサブ基板２の配線Ｐ２を経由している（発明の実施の形態１と同じ）。これに対し、ＲＡＭ２ｃ−２のバックアップ電源２ｂからの電力は、電源部２０５の配線Ｐ２０５、ワイヤハーネスＷＨ１、メイン基板１の配線Ｐ１から分岐された配線Ｐ１’、ワイヤハーネスＷＨ３及びサブ基板２の配線Ｐ２１を経由している。すなわち、ワイヤハーネスＷＨ２を取り外すと、ＲＡＭ２ｃ−１についてバックアップ不良が生じるが、ＲＡＭ２ｃ−２については生じない。なお、ワイヤハーネスＷＨ３は、原則として外す必要のない、バックアップ電源供給専用のものであるとする。
【００６０】
バックアップ電源の系統を図１３に示すようにしてもよい。すなわち、分岐を電源部２０５内で行い、その配線Ｐ２０５’をワイヤハーネスＷＨ３１で直接サブ基板２の配線Ｐ２１に接続するのである。図１３の構成によれば、ワイヤハーネスＷＨ１、ＷＨ２又はメイン基板１のいずれかが取り外されたことを、バックアップ電源２ｂの劣化によるバックアップ不良と区別して検知することができる。
【００６１】
本発明の実施の形態４に係る装置／方法は、ワイヤハーネスＷＨ２がサブ基板２から外された場合にはＲＡＭ２ｃ−１へのバックアップ電源の供給がなくなるようにし、そして、電源投入時にＲＡＭ２ｃ−１と２ｃ−２の内容が電源断時と同じかどうかをそれぞれ確認することでワイヤハーネスＷＨ２がサブ基板２から外されたかどうか確認することを特徴とする。ワイヤハーネスＷＨ２が外されていなければバックアップは正常に行われており、電源切断時と電源投入時とでＲＡＭ２ｃ−１の内容に変化はないはずである。その内容に変化が生じているとすればワイヤハーネスＷＨ２が外された可能性があると判断できる。
【００６２】
バックアップ電源２ｂが劣化したときも同様にＲＡＭ２ｃ−１の内容に変化が生じるが、この場合はＲＡＭ２ｃ−２の内容にも変化が生じる。ＲＡＭ２ｃ−１と２ｃ−２それぞれについて比較（確認）を行い、これら比較結果を総合的に判断することで、ワイヤハーネスＷＨ２が外された場合を、バックアップ電源２ｂが劣化した場合と区別することができる。
【００６３】
電源切断時と電源投入時でＲＡＭ２ｃ−１及び２ｃ−２の内容に変化が生じたかどうかを判定するために、発明の実施の形態４ではチェックサム（検査合計）を利用する。
なお、チェックサムを求めることに代えて、下記に示す演算又は処理を行うようにしてもよい。これらについては既に説明した。
・論理積、論理和又は排他的論理和を含む論理演算
・ハッシュ関数によるハッシュ値
・ＲＡＭ２ｃ−１及び２ｃ−２の全データの退避
・ＲＡＭ２ｃ−１及び２ｃ−２の一部のデータの退避
・ＲＡＭ２ｃ−１及び２ｃ−２の一部のデータを、ＲＡＭ２ｃ−１及び２ｃ−２自身の予め用意された領域に書き込む（退避させる）
【００６４】
図１４に電源スイッチをオフにしたときの処理フローチャートを示し、図１５に電源スイッチをオンにしたときの処理フローチャートを示す。発明の実施の形態４においても、タイミングチャートは図９と同じであるので、これを参照する。
【００６５】
図９において、電源スイッチがオンからオフにされたとき（時刻Ｔ１）、その直後にその旨を示す電源断信号が有効になるので、ＣＰＵ等は電源断信号を契機に電源終了時の処理を実行することができる。具体的には期間Ｐ２において図１４の処理を行う。
【００６６】
すなわち、ＲＡＭ１（ＲＡＭ２ｃ−１）とＲＡＭ２（ＲＡＭ２ｃ−２）のチェックサムをそれぞれ求め（Ｓ４１）、求めたチェックサムをＲＡＭ１（ＲＡＭ２ｃ−１）の任意のアドレス（予めどのアドレスにするか決めておく）とＲＡＭ２（ＲＡＭ２ｃ−２）の任意のアドレスにそれぞれ記憶する（Ｓ４２）。ＲＡＭ２ｃ−１とＲＡＭ２ｃ−２にはバックアップ電源が供給されているから、電源断の際のＲＡＭ２ｃ−１とＲＡＭ２ｃ−２の特徴値（チェックサム）が電源断の期間（図９の期間Ｐ３）においてＲＡＭ２ｃ−１と２ｃ−２でそれぞれ保持されることになる。
【００６７】
図９（ａ）の時刻Ｔ２以降の期間Ｐ３において電源電圧はゼロであるが、図１２に太線で示すようにＲＡＭ２ｃ−１と２ｃ−２に対してバックアップ電源２ｂから電力が供給される。したがって、ＲＡＭ２ｃ−１と２ｃ−２の内容は保持されたままである。
【００６８】
次に、図９（ｂ）に示すように、電源スイッチがオンになると（時刻Ｔ３）電源電圧が上昇し速やかに規定値に達する。その際に通常はリセット信号が発生し、その後の期間Ｐ４においてＣＰＵ等は初期動作を開始する。初期動作のひとつとして図１５の処理を行う。
【００６９】
すなわち、ＲＡＭ１（ＲＡＭ２ｃ−１）とＲＡＭ２（ＲＡＭ２ｃ−２）のチェックサムをそれぞれ求め（Ｓ５０）、電源断の際にＲＡＭ１（ＲＡＭ２ｃ−１）とＲＡＭ２（ＲＡＭ２ｃ−２）に記憶させたチェックサムをそれぞれ読み出し（Ｓ５１）、両者を比較する（Ｓ５２）。
【００７０】
ＲＡＭ１（ＲＡＭ２ｃ−１）に関してＳ５１で読み出したチェックサムがＳ５０で求めたチェックサムに一致し、かつ、ＲＡＭ２（ＲＡＭ２ｃ−２）に関してＳ５１で読み出したチェックサムがＳ５０で求めたチェックサムに一致した場合、ＲＡＭ２ｃの内容が電源断中も保持されたことを意味するから、ワイヤハーネスＷＨ２が取り外されず、かつ、バックアップ電源２ｂが正常であると判断できる。これは正常状態であるので通常の起動処理を行う（Ｓ５４）。なお、この際にＲＡＭ２ｃ−１と２ｃ−２に記憶されたチェックサムをクリアするようにしてもよい。
【００７１】
これに対し、電源断の期間Ｐ３においてワイヤハーネスＷＨ２が取り外されると、その時点でＲＡＭ２ｃ−１への電力の供給が絶たれる。バックアップ電源２ｂからＲＡＭ２ｃ−１への電力の供給線がワイヤハーネスＷＨ２を経由しているためである。そのような状態になるとＲＡＭ２ｃ−１の内容は失われ、再度電源が供給されても回復することはない（でたらめな内容になる）。しかし、ＲＡＭ２ｃ−２のバックアップは正常に行われており内容が失われることはない。この場合、ＲＡＭ１（ＲＡＭ２ｃ−１）に関してＳ５１で読み出したチェックサムがＳ５０で求めたチェックサムに一致しなくなるが、ＲＡＭ２（ＲＡＭ２ｃ−２）に関してＳ５１で読み出したチェックサムがＳ５０で求めたチェックサムに一致することになる。ＲＡＭ１（ＲＡＭ２ｃ−１）の内容が失われるからＳ５０で求めたチェックサムはＳ５１で求めたものと当然異なるし、Ｓ５２で記憶したチェックサム自体も失われるからである。そこでエラー処理を行い、ワイヤハーネスＷＨ２が交換されたことを報知する（Ｓ５３）。これ以降は通常の起動処理を行わないので、遊技を行うことができなくなる。なお、期間Ｐ３以外でもチェックサムの不一致を検出したときにエラー処理を行うようにしてもよい。
【００７２】
なお、ＲＡＭ１（ＲＡＭ２ｃ−１）に関してＳ５１で読み出したチェックサムがＳ５０で求めたチェックサムに一致せず、かつ、ＲＡＭ２（ＲＡＭ２ｃ−２）に関してＳ５１で読み出したチェックサムがＳ５０で求めたチェックサムに一致しない場合は、バックアップ電源２ｂが劣化したことを意味するから、エラー処理を行い、その旨を報知する（Ｓ５５）ことが好ましい。
【００７３】
発明の実施の形態４によれば、ワイヤハーネスＷＨ２を経由して第１揮発性記憶素子（ＲＡＭ１）へのバックアップ電源の供給を行い、ワイヤハーネスＷＨ２が外された場合に第１揮発性記憶素子へのバックアップ電源の供給が遮断されるようにし、バックアップ不良を発生させる。電源投入時には第１揮発性記憶素子の合計値によるチェックが行われるため、ワイヤハーネスＷＨ２が外された場合にはバックアップ不良を検出することになり、ワイヤハーネスＷＨ２が外された可能性があると判断し、エラー状態などに移行して遊技を停止させる。他方、第２揮発性素子（ＲＡＭ２）は、そのバックアップ電力の供給線がワイヤハーネスＷＨ２を経由しないので、ワイヤハーネスＷＨ２が取り外されても特徴値が一致する。そこで、第１揮発性素子のみに関して特徴値の不一致が生じたときに、ワイヤハーネスＷＨ２が交換されたと判定し、エラー処理を行う。このように処理することで、バックアップ電源の劣化によるバックアップ不良と区別して、ワイヤハーネスＷＨ２が外されたということを判定できるようにした。なお、第１揮発性素子と第２揮発性素子の両方について特徴値の不一致が生じたときはバックアップ電源の劣化と判断でき、その旨の報知を行うことができる。以上のような構成により、ワイヤハーネスＷＨ２の交換を検知しエラー報知することができる。
【００７４】
以上の説明で、特徴値をＲＡＭ２ｃ−１と２ｃ−２自身に書き込んだが、本発明はこれに限定されない。バックアップ電源の供給されるほかのＲＡＭ又は不揮発性記憶素子（ＥＥＰＲＯＭなど）に書き込むようにしてもよい。
【００７５】
発明の実施の形態５．
ＲＡＭの特定のアドレスに特定の値を書き込んでおき、電源投入時にそれが維持されているかどうか判断するようにしても、上記発明の実施の形態１乃至４と同様の効果を奏する。ＲＡＭの特定のアドレスは、少なくとも電源断時において常に特定の値であると決めておき、電源投入時にそれが維持されていなければワイヤハーネスＷＨ２が外されたと判断するのである。この場合、特徴値を求める必要はないし、電源断時にＲＡＭの内容を読み取る必要もない。
【００７６】
発明の実施の形態５に係る事前データ書き込み処理のフローチャートを図１６に、電源スイッチをオンしたときの処理のフローチャートを図１７に示す。図１６の特定のアドレスに特定の値を書き込む処理は電源断時（図９の期間Ｐ２）に行ってもよいし、それ以外の任意のタイミング（初期化時など）に行ってもよいし、定期的又は不定期に繰り返し行うようにしてもよい。図１７において、まずＲＡＭ２（ＲＡＭ２ｃ−２）に関してチェックを行えば、バックアップ電源が劣化したときに直ちにエラー処理を行うことができる（この点は図１５についても同様である）。
【００７７】
発明の実施の形態５は、発明の実施の形態４と同様の作用効果を奏する。
【００７８】
発明の実施の形態６．
本発明の実施の形態６に係るスイッチＳＷとサブ基板２の接続図を図１８に示す。同図は本発明の実施の形態５の動作を説明するために必要な部分のみを示し、サブ基板２上のＣＰＵやＲＯＭの表示や、アドレス信号やデータ信号の表示を省略している。
【００７９】
図１８において、２ｂ−１及び２ｂ−２は電源切断時に電力を供給するためのバックアップ電源である。バックアップ電源２ｂ−２の容量は、バックアップ電源２ｂ−１のそれよりも小さいように設定されている。例えば、ＲＡＭ２ｃ−１と２ｃ−２の消費電流が同じで、かつ、その内容が失われる電圧値が同じであるような場合に、バックアップ電源２ｂ−２を１本の二次電池で構成し、バックアップ電源２ｂ−１を２本の二次電池で構成したり、異なる容量の二次電池を用いたりするということである。一般的には、電池（電源）の容量は、どれだけの電流をどれだけの時間供給することができるかで表され、例えば流すことのできる電流（Ａ：アンペア）とその時間（Ｈ：時間(Hour））の積（ＡＨ）で表される。ただし、本発明の実施の形態の説明において使用する「容量の大小」は、単なる電池（電源）そのものの容量の大小のことではない（詳しくは後述する）。バックアップ電源２ｂ−２の容量がバックアップ電源２ｂ−１のそれよりも小さいということは、バックアップ電池２ｂ−１と２ｂ−２を遊技機に装着した状態で、バックアップ電池２ｂ−２のほうが先に蓄えた電気エネルギーが尽きる（上がる）ことを意味する。一般的な運用をしている限り、遊技機においてバックアップ電源が上がることはないので、そのような場合はバックアップ電源自体の性能が劣化したと考え、バックアップ電源を交換することが望ましい（実際は２つのバックアップ電源２ｂ−１と２ｂ−２を一緒に交換することが多い）。
【００８０】
２ｃ−１はバックアップ電源（第１バックアップ電源）２ｂ−１から電力の供給を受けるＲＡＭ（第１揮発性記憶素子）である。２ｃ−２はバックアップ電源（第２バックアップ電源）２ｂ−２から電力の供給を受けるＲＡＭ（第２揮発性記憶素子）である。ＲＡＭ２ｃ−１と２ｃ−２は同じものであるが、電力供給を受けるバックアップ電源が異なり、しかも、バックアップ電源からの配線のルートが異なっている（この点はさらに後述する）。２ｄはワイヤハーネスＷＨ２の取り外しの有無を判定する判定部である。判定部２ｄはＲＡＭ２ｃ−１，２ｃ−２からデータを読み出したり、ＲＡＭ２ｃ−１，２ｃ−２にデータを書き込むことができる。判定部２ｄは、例えば所定のプログラムで動作する図示しないＣＰＵで実現される。サブ基板２のＣＰＵが判定部２ｄのＣＰＵを兼ねることもできる。判定部２ｄはワイヤハーネスＷＨ２の取り外しの有無を判定する以外にも、バックアップ電源２ｂ−２の劣化を判断することもある。２ｅ−１は基板の電源（直流電圧）ＶＤＤを受けてバックアップ電源２ｂ−１に供給し充電を行うとともに、電源断のバックアップ時にバックアップ電源２ｂ−２の電流が電源ＶＤＤに逆流しないようにするためのダイオードである。２ｅ−２はバックアップ電源２ｂ−２に設けられているダイオードであり、同様の機能を果たす。
【００８１】
図１８においてバックアップ電源２ｂ−１は電源部２０５に搭載されているが、バックアップ電源２ｂ−１からＲＡＭ２ｃ−１への電力の供給線の少なくとも一部はワイヤハーネスＷＨ２を経由するように配置されている。これに対し、バックアップ電源２ｂ−２はサブ基板２に設けられ、これからＲＡＭ２ｃ−２への電力の供給線は外部を経由しないようになっている。すなわち、バックアップ電源２ｂ−２とＲＡＭ２ｃ−２間の接続はサブ基板２上にのみ存在し、その外部に出ることはない。
【００８２】
バックアップ電源の系統を図１９に示すようにしてもよい。電源部２０５にバックアップ電源２ｂ−２を設け、その出力をワイヤハーネスＷＨ３で直接サブ基板２の配線Ｐ２１に接続するのである。図１９の構成によれば、ワイヤハーネスＷＨ１、ＷＨ２又はメイン基板１のいずれかが取り外されたことを、バックアップ電源２ｂの劣化によるバックアップ不良と区別して検知することができる。
【００８３】
本発明の実施の形態６に係る装置／方法は、サブ基板（処理部）２上にある揮発性記憶素子（ＲＡＭ）２ｃ−２へのバックアップ電源の供給を、ワイヤハーネスＷＨ２を経由させずに行うが、揮発性記憶素子２ｃ−１へのバックアップ電源の供給をワイヤハーネスＷＨ２を介して行う。ワイヤハーネスＷＨ２がサブ基板２から外された場合にはＲＡＭ２ｃ−１へのバックアップ電源の供給がなくなるようにし、そして、電源投入時にＲＡＭ２ｃ−１と２ｃ−２の内容が電源断時と同じかどうかをそれぞれ確認することでワイヤハーネスＷＨ２が外されたかどうか確認することを特徴とする。ワイヤハーネスＷＨ２が外されていなければバックアップは正常に行われており、電源切断時と電源投入時とでＲＡＭ２ｃ−１の内容に変化はないはずである。その内容に変化が生じているとすればワイヤハーネスＷＨ２が外された可能性があると判断できる。
【００８４】
バックアップ電源が劣化したときも同様にＲＡＭ２ｃ−１の内容に変化が生じるが、この場合はＲＡＭ２ｃ−２の内容にも変化が生じる。ＲＡＭ２ｃ−１と２ｃ−２それぞれについて比較（確認）を行い、これら比較結果を総合的に判断することで、ワイヤハーネスＷＨ２が外された場合をバックアップ電源が劣化した場合と区別することができる。バックアップ電源２ｂ−２がバックアップ電源２ｂ−１よりも容量が小さくなるように構成されているので、自然に放電した場合には必ずＲＡＭ２ｃ−２の方が先にバックアップ不良になる。容量の異なるバックアップ電池を複数用意する理由は、それぞれのＲＡＭがバックアップ不良になる電圧と消費電流にばらつきがあるためであり、同じ容量の電池を使用して自然放電した場合には、偶然ＲＡＭ２ｃ−１が先にバックアップ不良となる可能性があるからである。この場合、ワイヤハーネスＷＨ２の取り外しがあったと判断されてしまう。容量に差を設けることで、自然放電時にはＲＡＭ２ｃ−２が確実に先にバックアップ不良となり、誤警報すなわち誤ってワイヤハーネスＷＨ２の取り外しがあった（不正行為があった）とエラー報知することを避けることができる。
【００８５】
このような観点から、自然放電時にはＲＡＭ２ｃ−２が確実に先にバックアップ不良となるように、バックアップ電源２ｃ−１の容量と２ｃ−２の容量の差を、ＲＡＭ２ｃ−１のバックアップ不良になる電圧・消費電流とＲＡＭ２ｃ−２のバックアップ不良になる電圧・消費電流の差に基づき決定することが好ましい。例えば、ＲＡＭ２ｃ−１の消費電流とＲＡＭ２ｃ−２の消費電流の比が１：２であれば（バックアップすべきデバイスの個数に違いがあればこの程度の差は当然生じる）、バックアップ電源２ｂ−１の容量とバックアップ電源２ｂ−２の容量の比が１：１であっても「バックアップ電源２ｂ−２はバックアップ電源２ｂ−１よりも容量が小さい」と言うことができる。また、ＲＡＭ２ｃ−１の消費電流とＲＡＭ２ｃ−２の消費電流の比が１：１０であれば、バックアップ電源２ｂ−１の容量とバックアップ電源２ｂ−２の容量の比が１：５であっても「バックアップ電源２ｂ−２はバックアップ電源２ｂ−１よりも容量が小さい」と言うことができる。このように、本発明の実施の形態に係る容量の大小は、そのバックアップ電源が対象としているデバイスの消費電力の大小との関係で相対的に判断されるものであり、単に電池そのものの容量の大小ではないことに注意されたい（なお、ＲＡＭ２ｃ−１と２ｃ−２の電気的な特性が同じであれば、通常の意味の容量の大小が本発明の実施の形態でも適用できることは言うまでもない）。
【００８６】
電源切断時と電源投入時でＲＡＭ２ｃ−１及び２ｃ−２の内容に変化が生じたかどうかを判定するために、発明の実施の形態６ではチェックサム（検査合計）を利用する。
なお、チェックサムを求めることに代えて、下記に示す演算又は処理を行うようにしてもよい。これらについては既に説明した。
・論理積、論理和又は排他的論理和を含む論理演算
・ハッシュ関数によるハッシュ値
・ＲＡＭ２ｃ−１及び２ｃ−２の全データの退避
・ＲＡＭ２ｃ−１及び２ｃ−２の一部のデータの退避
・ＲＡＭ２ｃ−１及び２ｃ−２の一部のデータを、ＲＡＭ２ｃ−１及び２ｃ−２自身の予め用意された領域に書き込む（退避させる）
【００８７】
図１４は、電源スイッチをオフにしたときの処理フローチャートを示す（発明の実施の形態４の図面と同じなのでそれを参照する）。図２０は、電源スイッチをオンにしたときの処理フローチャートを示す。
【００８８】
発明の実施の形態６のタイミングチャートは図９と同じなのでそれを参照すると、図９（ａ）において電源スイッチがオンのとき、電源電圧は規定値である（期間Ｐ１）。期間Ｐ１では、図１８に太線で示すように電源ＶＤＤがＲＡＭ２ｃ−１と２ｃ−２にそれぞれ供給されるとともにバックアップ電源２ｂ−１と２ｂ−２を充電している。電源スイッチがオンからオフにされたとき（時刻Ｔ１）サブ基板２等に供給される電源電圧はすぐには低下せず、電源スイッチのオフからしばらく時間が経ってから電源電圧がゼロになる（時刻Ｔ２）。この間（期間Ｐ２）でサブ基板２のＣＰＵ等は所定の処理を行うことができる。電源スイッチがオンからオフにされたとき（時刻Ｔ１）、その直後にその旨を示す電源断信号が有効になるので、ＣＰＵ等は電源断信号を契機に電源終了時の処理を実行することができる。具体的には期間Ｐ２において図１４の処理を行う。
【００８９】
すなわち、ＲＡＭ１（ＲＡＭ２ｃ−１）とＲＡＭ２（ＲＡＭ２ｃ−２）のチェックサムをそれぞれ求め（Ｓ４１）、求めたチェックサムをＲＡＭ１（ＲＡＭ２ｃ−１）の任意のアドレス（予めどのアドレスにするか決めておく）とＲＡＭ２（ＲＡＭ２ｃ−２）の任意のアドレスにそれぞれ記憶する（Ｓ４２）。ＲＡＭ２ｃ−１とＲＡＭ２ｃ−２にはバックアップ電源が供給されているから、電源断の際のＲＡＭ２ｃ−１とＲＡＭ２ｃ−２の特徴値（チェックサム）が電源断の期間（図９の期間Ｐ３）においてＲＡＭ２ｃ−１と２ｃ−２でそれぞれ保持されることになる。
【００９０】
図９（ａ）の時刻Ｔ２以降の期間Ｐ３において電源電圧はゼロであるが、図１８に太線で示すようにＲＡＭ２ｃ−１と２ｃ−２に対してバックアップ電源２ｂ−１と２ｂ−２から電力が供給される。したがって、ＲＡＭ２ｃ−１と２ｃ−２の内容は保持されたままである。
【００９１】
次に、図９（ｂ）に示すように、電源スイッチがオンになると（時刻Ｔ３）電源電圧が上昇し速やかに規定値に達する。その際に通常はリセット信号が発生し、その後の期間Ｐ４においてＣＰＵ等は初期動作を開始する。初期動作のひとつとして図２０の処理を行う。
【００９２】
すなわち、ＲＡＭ１（ＲＡＭ２ｃ−１）とＲＡＭ２（ＲＡＭ２ｃ−２）のチェックサムをそれぞれ求め（Ｓ８０）、電源断の際にＲＡＭ１（ＲＡＭ２ｃ−１）とＲＡＭ２（ＲＡＭ２ｃ−２）に記憶させたチェックサムをそれぞれ読み出す（Ｓ８１）。
【００９３】
ＲＡＭ２について、Ｓ８０で求めたチェックサムをＳ８１で読み出した電源断の際のチェックサムと比較する（Ｓ８２−１）。両者が不一致であればバックアップ電源２ｂ−２が劣化したことを意味するから、エラー処理を行い、その旨を報知する（Ｓ８５）。一致していればワイヤハーネスＷＨ２の取り外しの有無を判断するために次の処理（Ｓ８２−２）を行う。
【００９４】
ＲＡＭ１について、Ｓ８０で求めたチェックサムをＳ８１で読み出した電源断の際のチェックサムと比較する（Ｓ８２−２）。両者が一致していればＲＡＭ２ｃ−１の内容が電源断中も保持されたことを意味するから、ワイヤハーネスＷＨ２が取り外されなかったと判断できる。これは正常状態であるので通常の起動処理を行う（Ｓ８６）。なお、この際にＲＡＭ２ｃ−１と２ｃ−２に記憶されたチェックサムをクリアするようにしてもよい。
【００９５】
これに対し、電源断の期間Ｐ３においてワイヤハーネスＷＨ２が取り外されると（メイン基板１やそのＲＯＭを交換する際、及び、そのＲＯＭを有効にするためには、一度は電源を切断する必要がある）、ワイヤハーネスＷＨ２が外された時点でＲＡＭ２ｃ−１への電力の供給が絶たれる。バックアップ電源２ｂ−１からＲＡＭ２ｃ−１への電力の供給線はワイヤハーネスＷＨ２を経由するように配置されているためである。そのような状態になるとＲＡＭ２ｃ−１の内容は失われ、再度電源が供給されても回復することはない（でたらめな内容になる）。ＲＡＭ１（ＲＡＭ２ｃ−１）の内容が失われるからＳ８０で求めたチェックサムはＳ８１で読み出したものと当然異なるし、記憶したチェックサム自体も失われる。そこでエラー処理を行い、ワイヤハーネスＷＨ２が外されたことを報知する（Ｓ８３）。これ以降は通常の起動処理を行わないので、遊技を行うことができなくなる。なお、期間Ｐ３以外でもチェックサムの不一致を検出したときにエラー処理を行うようにしてもよい。
【００９６】
発明の実施の形態６によれば、ワイヤハーネスＷＨ２を介して第１揮発性記憶素子（ＲＡＭ１）へのバックアップ電源の供給を行い、ワイヤハーネスＷＨ２が外された場合に第１揮発性記憶素子へのバックアップ電源の供給が遮断されるようにし、バックアップ不良を発生させる。電源投入時には第１揮発性記憶素子の合計値によるチェックが行われるため、ワイヤハーネスＷＨ２が外された場合にはバックアップ不良を検出することになり、ワイヤハーネスＷＨ２が外された可能性があると判断し、エラー状態などに移行して遊技を停止させる。他方、第２揮発性素子（ＲＡＭ２）は、そのバックアップ電力の供給線がワイヤハーネスＷＨ２を経由しないので、ワイヤハーネスＷＨ２が取り外されても特徴値が一致する。第１揮発性素子のみに関して特徴値の不一致が生じたときに、ワイヤハーネスＷＨ２が交換されたと判定し、エラー処理を行う。このように処理することで、バックアップ電源の劣化によるバックアップ不良と区別して、ワイヤハーネスＷＨ２が外されたということを判定できるようにした。以上のような構成により、ワイヤハーネスＷＨ２の交換を検知しエラー報知することができ、メイン基板１やそのＲＯＭの不正な交換という不正行為を抑止することが可能になる。しかも、第２揮発性記憶素子用のバックアップ電源の容量を第１揮発性記憶素子用のバックアップ電源の容量よりも小さくすることで、誤ったエラー報知を行うことを避けることができ、信頼性を向上できる。
【００９７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００９８】
【図１】前扉を閉めた状態を示すスロットマシンの正面図である。
【図２】前扉を１８０度開いた状態を示すスロットマシンの正面図である。
【図３】発明の実施の形態に係るスロットマシンの電源部の正面図である。
【図４】遊技機のブロック図である。
【図５】発明の実施の形態１に係るバックアップ電源系統を示すブロック図である。
【図６】発明の実施の形態１に係るバックアップ電源系統で第２ワイヤハーネスを外した状態を示すブロック図である。
【図７】発明の実施の形態１に係る電源スイッチのオフ時の処理フローチャートである。
【図８】発明の実施の形態１に係る電源スイッチのオン時の処理フローチャートである。
【図９】発明の実施の形態１の動作を説明するためのタイミングチャートである。
【図１０】発明の実施の形態３に係る事前データ書き込み処理のフローチャートで
【図１１】発明の実施の形態３に係る電源スイッチのオン時の処理フローチャートである。
【図１２】発明の実施の形態４に係るバックアップ電源系統を示すブロック図である。
【図１３】発明の実施の形態４に係る他のバックアップ電源系統を示すブロック図である。
【図１４】発明の実施の形態４に係る電源スイッチのオフ時の処理フローチャートである。
【図１５】発明の実施の形態４に係る電源スイッチのオン時の処理フローチャートである。
【図１６】発明の実施の形態５に係る事前データ書き込み処理のフローチャートである。
【図１７】発明の実施の形態５に係る電源スイッチのオン時の処理フローチャートである。
【図１８】発明の実施の形態６に係るバックアップ電源系統を示すブロック図である。
【図１９】発明の実施の形態６に係る他のバックアップ電源系統を示すブロック図である。
【図２０】発明の実施の形態６に係る電源スイッチのオン時の処理フローチャートである。
【符号の説明】
【００９９】
１    メイン基板
２    サブ基板
２ｂ  バックアップ電源
２ｃ  ＲＡＭ（揮発性記憶素子）
２ｄ  判定部
２ｅ  ダイオード
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートスイッチ
１３５    払出し口
１３６    導出路
１４０    ストップボタン
２０５    電源部
Ｐ１、Ｐ２，Ｐ２０５  バックアップ電源の配線
ＷＨ    ワイヤハーネス（ハーネス）
【図１】
2007222249.tif 000003
【図２】
2007222249.tif 000004
【図３】
2007222249.tif 000005
【図４】
2007222249.tif 000006
【図５】
2007222249.tif 000007
【図６】
2007222249.tif 000008
【図７】
2007222249.tif 000009
【図８】
2007222249.tif 000010
【図９】
2007222249.tif 000011
【図１０】
2007222249.tif 000012
【図１１】
2007222249.tif 000013
【図１２】
2007222249.tif 000014
【図１３】
2007222249.tif 000015
【図１４】
2007222249.tif 000016
【図１５】
2007222249.tif 000017
【図１６】
2007222249.tif 000018
【図１７】
2007222249.tif 000019
【図１８】
2007222249.tif 000020
【図１９】
2007222249.tif 000021
【図２０】
2007222249.tif 000022